(57)【要約】【課題】組電池ケース２内に側板２ｂとアール状に繋がった隔壁２ｃを設けることにより、非水電解質二次電池１がこの組電池ケース２を押圧する力を分散させて、この組電池ケース２が必要以上に重くなったり大きくなるようなことのない組電池を提供する。【解決手段】底板２ａと側板２ｂとを備えた組電池ケース２内に複数個の非水電解質二次電池１を収納した組電池において、この底板２ａから立設され、高さが側板２ｂよりも低く、かつ、この側板２ｂ内面に繋がる両端部の高さが端部ほど徐々に側板２ｂの高さまでアール状に高くなった隔壁２ｃによって組電池ケース２内が仕切られた構成とする。【選択図】図１
2006140025.tif 000002
【特許請求の範囲】
【請求項１】
底板と側板とを備えた組電池ケース内に複数個の電池を収納した組電池において、
この底板から立設され、高さが側板よりも低く、かつ、この側板内面に繋がる両端部の高さが端部ほど徐々に側板の高さまでアール状に高くなった隔壁によって組電池ケース内が２箇所以上に仕切られたことを特徴とする組電池。
【請求項２】
底板と側板とを備えた組電池ケース内に複数個の電池を収納した組電池において、
この底板から立設され、側板内面に繋がる両端部の板厚が端部ほど徐々にアール状に両側に厚くなった隔壁によって組電池ケース内が２箇所以上に仕切られたことを特徴とする組電池。
【請求項３】
前記底板から立設された隔壁が、高さが側板よりも低く、かつ、この側板内面に繋がる両端部の高さが端部ほど徐々に側板の高さまでアール状に高くなると共に、この側板内面に繋がる両端部の板厚が端部ほど徐々にアール状に両側に厚くなったものであることを特徴とする請求項１又は２に記載の組電池。
【請求項４】
前記組電池ケースの側板の外壁に、組電池設置部への取付手段が設けられた組電池ケース取付部が突設されたことを特徴とする請求項１、２又は３に記載の組電池。
【請求項５】
前記組電池ケースの側板の外壁に、組電池ケース内に収納した電池を押圧して固定する電池押圧部材を取り付けるための取付手段が設けられた電池押圧部材取付部が突設されたことを特徴とする請求項１、２、３又は４に記載の組電池。
【請求項６】
前記組電池ケースの側板の外壁に、組電池ケース内に収納した電池の端子と接続されるコネクタを収納したコネクタ収納部が取り付けられたことを特徴とする請求項１、２、３、４又は５に記載の組電池。
【発明の詳細な説明】
【技術分野】
【０００１】
本発明は、複数の電池を組電池ケースに収納した組電池に関するものである。
【背景技術】
【０００２】
大型大容量の電池を複数個組み合わせた従来の組電池は、底板上の周囲を側板で囲んだ箱状の組電池ケースにこれらの電池を収納していることが多い（例えば、特許文献１参照。）。このような大型大容量の長円筒形の非水電解質二次電池１を４個組み合わせた従来の組電池の構成例を図５に示す。非水電解質二次電池１は、発電要素を非水電解液と共にステンレス鋼板製の長円筒形の外装ケースに収納したものである。発電要素は、正負の電極をセパレータを介して長円筒形に巻回したものであり、巻回軸を上下方向に向けて外装ケースに収納される。外装ケースは、ステンレス鋼板製の長円筒形の容器状である電池容器１ａの上端開口部に、発電要素の収納後に、ステンレス鋼板製の長円形の蓋板１ｂを嵌め込んで内部を密閉したものであり、この蓋板１ｂの両端部から上方に向けて正負の端子１ｃ，１ｃが突出している。これらの端子１ｃ，１ｃは、それぞれ蓋板１ｂを貫通すると共に絶縁封止して取り付けられ、電池容器１ａ内部の発電要素の正負の電極に接続されている。
【０００３】
上記４個の非水電解質二次電池１は、前後方向に並べて組電池ケース２に収納し、各端子１ｃに配線を施すことにより組電池として用いられる。組電池ケース２は、ここでは方形の金属板を断面コの字形状に折り曲げ、このコの字形状の内側の前後の端部にそれぞれ別の方形の金属板を嵌め込んで溶接により接合することによって箱状に形成されたものである。また、収納する非水電解質二次電池１と組電池ケース２の内面間や、各非水電解質二次電池１の間には、絶縁と隙間を埋めるために樹脂シート等のスペーサが配置される。
【０００４】
ところが、上記組電池は、振動や衝撃等によって前後方向に大きな加速度Ｇを受けた場合に、４個の重い非水電解質二次電池１によって生じる力が全て組電池ケース２の前後いずれかの金属板に加わるために、この組電池ケース２の強度を高める必要があるという問題があった。即ち、例えば前方への大きな加速度Ｇを受けたとすると、各非水電解質二次電池１は、それぞれその質量に加速度Ｇを乗じた力で後方の非水電解質二次電池１を押すようになり、後方端の非水電解質二次電池１は、前方から押される力も合わせて４倍の大きな力で組電池ケース２の後側の金属板を押圧することになる。そして、この大きな力に対抗できるように組電池ケース２の強度を高めるには、金属板の金属材料を強度の高いものにしたり板厚を厚いものにする必要があるので、組電池ケース２の重量が重くなる。しかも、溶接による接合部の強度を高めるために、例えば図５の場合であれば、前後の金属板の端部を折り返して接合面積が広くなるようにする必要があるので、組電池ケース２が必要以上に大きくなる。
【０００５】
また、上記非水電解質二次電池１は、発電要素の長円筒形に巻回された電極が電池容器１ａの平坦な両側面間で前後方向に多数重なり合うので、充放電に伴って膨張と収縮を繰り返すことになる。しかも、非水電解質二次電池１の内圧が上昇すると、この電池容器１ａの平坦な両側面が最も膨らむことになる。このため、上記組電池は、各非水電解質二次電池１の電池容器１ａの平坦な両側面間の幅（前後方向の長さ）が使用に伴い膨らむことがあるので、この電池容器１ａの膨らみによっても、組電池ケース２の前後の金属板が強く押圧されるので、強度を高める必要が生じる。
【発明の開示】
【発明が解決しようとする課題】
【０００６】
本発明は、組電池ケース内に隔壁を設けることにより、電池がこの組電池ケースを押圧する力を分散させて、この組電池ケースが必要以上に重くなったり大きくなるようなことのない組電池を提供しようとするものである。
【課題を解決するための手段】
【０００７】
請求項１の発明は、底板と側板とを備えた組電池ケース内に複数個の電池を収納した組電池において、この底板から立設され、高さが側板よりも低く、かつ、この側板内面に繋がる両端部の高さが端部ほど徐々に側板の高さまでアール状に高くなった隔壁によって組電池ケース内が２箇所以上に仕切られたことを特徴とする。
【０００８】
請求項２の発明は、底板と側板とを備えた組電池ケース内に複数個の電池を収納した組電池において、この底板から立設され、側板内面に繋がる両端部の板厚が端部ほど徐々にアール状に両側に厚くなった隔壁によって組電池ケース内が２箇所以上に仕切られたことを特徴とする。
【０００９】
請求項３の発明は、前記底板から立設された隔壁が、高さが側板よりも低く、かつ、この側板内面に繋がる両端部の高さが端部ほど徐々に側板の高さまでアール状に高くなると共に、この側板内面に繋がる両端部の板厚が端部ほど徐々にアール状に両側に厚くなったものであることを特徴とする。
【００１０】
請求項４の発明は、前記組電池ケースの側板の外壁に、組電池設置部への取付手段が設けられた組電池ケース取付部が突設されたことを特徴とする。
【００１１】
請求項５の発明は、前記組電池ケースの側板の外壁に、組電池ケース内に収納した電池を押圧して固定する電池押圧部材を取り付けるための取付手段が設けられた電池押圧部材取付部が突設されたことを特徴とする。
【００１２】
請求項６の発明は、前記組電池ケースの側板の外壁に、組電池ケース内に収納した電池の端子と接続されるコネクタを収納したコネクタ収納部が取り付けられたことを特徴とする。
【発明の効果】
【００１３】
請求項１の発明によれば、組電池ケース内が隔壁によって仕切られるので、大きな加速度Ｇを受けても、電池が組電池ケースを押圧する力が、側板だけでなく、この隔壁でも支持されるようになり、この電池による押圧力が分散されるようになる。また、この隔壁は、側板よりも低く、両端部の高さが徐々にアール状に高くなって側板に繋がるので、隣接する電池の端子間を導体で接続することが容易となる。従って、この組電池は、組電池ケースの強度が高まるために、重量が必要以上に重くなったり大きくなるようなことがなく、電池間の配線も容易となる。
【００１４】
請求項２の発明によれば、組電池ケース内が隔壁によって仕切られるので、大きな加速度Ｇを受けても、電池が組電池ケースを押圧する力が、側板だけでなく、この隔壁でも支持されるようになり、この電池による押圧力が分散されるようになる。また、この隔壁は、組電池ケース内のリブとしても機能し、しかも、両端部の板厚が徐々にアール状に厚くなって側板に繋がるので、このリブとしての機能を補強して組電池ケース全体の強度を高めることもできるようになる。従って、この組電池は、組電池ケースの強度が高まるために、重量が必要以上に重くなったり大きくなるようなことがなくなる。
【００１５】
請求項３の発明によれば、組電池ケース内が隔壁によって仕切られるので、大きな加速度Ｇを受けても、電池が組電池ケースを押圧する力が、側板だけでなく、この隔壁でも支持されるようになり、この電池による押圧力が分散されるようになる。また、この隔壁は、側板よりも低く、両端部の高さが徐々にアール状に高くなって側板に繋がるので、隣接する電池の端子間を導体で接続することが容易となる。さらに、この隔壁は、組電池ケース内のリブとしても機能し、しかも、両端部の板厚が徐々にアール状に厚くなって側板に繋がるので、このリブとしての機能を補強して組電池ケース全体の強度を高めることもできるようになる。従って、この組電池は、組電池ケースの強度が高まるために、重量が必要以上に重くなったり大きくなるようなことがなく、電池間の配線も容易となる。
【００１６】
請求項４の発明によれば、組電池ケースの側板に組電池ケース取付部が設けられるので、組電池を組電池設置部に確実堅固に設置固定することができるようになる。
【００１７】
請求項５の発明によれば、組電池ケースの側板に設けられた電池押圧部材取付部によって電池押圧部材を確実に取り付けることができるので、この組電池ケース内に収納した電池を確実堅固に固定することができるようになる。
【００１８】
請求項６の発明によれば、組電池ケースの側板にコネクタ収納部が取り付けられるので、複数の電池とコネクタとの間の配線をこのコネクタ収納部内にまとめることができ、組電池と外部との接続のための配線が煩雑になるのを防止することができるようになる。
【発明を実施するための最良の形態】
【００１９】
以下、本発明の最良の実施形態について図１〜図４を参照して説明する。
【００２０】
本実施形態では、図５に示したものと同じ構成の大型大容量の長円筒形の非水電解質二次電池１を８個用いた組電池について説明する。この組電池は、図１に示すように、前後に並ぶ４個ずつの非水電解質二次電池１を左右の２列に分けて収納し、電池押圧バー３，３によって上方から押圧されて固定するようになっている。また、各列の４個ずつの非水電解質二次電池１は、外装ケースの前後の平坦な側面が向かい合うように並べて配置される。
【００２１】
組電池ケース２は、図２に示すように、強度の高いアルミニウム合金を容器状の筐体に形成したものであり、ほぼ方形の底板２ａと、この底板２ａの前後左右の周縁端辺から立設されて、この底板２ａ上の周囲を囲む四方の側板２ｂとを備えている。そして、これらの側板２ｂによって囲まれた組電池ケース２の内部は、前後方向と左右方向の隔壁２ｃ，２ｃが十字形に交差して形成されることにより４箇所の容器部に仕切られている。左右方向の隔壁２ｃは、前後の側板２ｂ，２ｂの間の中央にこれらと平行に底板２ａから立設されることにより、組電池ケース２内を前後に等分に仕切るようになっていて、両端辺が左右の側板２ｂ，２ｂの内面に繋がっている。また、前後方向の隔壁２ｃは、左右の側板２ｂ，２ｂの間の中央にこれらと平行に底板２ａから立設されることにより、組電池ケース２内を左右に等分に仕切るようになっていて、両端辺が前後の側板２ｂ，２ｂの内面に繋がっている。そして、これらの隔壁２ｃ，２ｃが十字形に交差することにより、組電池ケース２内が前後左右の４箇所のほぼ方形の容器部に等分に仕切られることになる。
【００２２】
上記組電池ケース２の底板２ａは、四角形の四隅の角に比較的大きなアールが形成されると共に、前後左右の側板２ｂの各境界の角も、この底板２ａのアールに沿って比較的大きく湾曲して繋がっていて、この底板２ａと各側板２ｂとの境界の角も湾曲して繋がっている。そして、上記隔壁２ｃ，２ｃは、側板２ｂの高さよりも少し低くなっていて、これらの側板２ｂの内面に繋がる両端部の高さが端部ほど徐々に側板２ｂの高さまでアール状に高くなっている。従って、後に説明するように、これらの隔壁２ｃ，２ｃで仕切られた４箇所の容器部に収納された非水電解質二次電池１間の配線が容易となる。また、これらの隔壁２ｃ，２ｃは、十字形に交差する部分や側板２ｂの内面に繋がる部分及び底板２ａの上面に繋がる部分の板厚がそれぞれ徐々に厚くなってアール状に繋がっている。従って、この組電池ケース２は、方形の底板２ａと側板２ｂと隔壁２ｃとが真っ直ぐに直角に繋がって形成された場合に比べ、筐体としての組電池ケース２の強度や隔壁２ｃの強度が高くなるようにしている。しかも、この組電池ケース２は、全体をアルミニウム合金の１個のブロックから削り出して形成しているので、板材の溶接により底板２ａや各側板２ｂや各隔壁２ｃを接合して作製したものに比べて、接合部の強度が増すだけでなく、溶接により筐体の形状に歪みが生じるようなおそれも生じない。
【００２３】
上記組電池ケース２の前後の側板２ｂ，２ｂにおける外壁上端部の左右両側には、２箇所ずつのボルト止め用孔を形成した外側への凸部である電池押圧バー取付部２ｄが突設されている。また、この組電池ケース２の前後方向の側板２ｂ，２ｂにおける外壁下端部には、左右方向に等間隔となる３箇所の位置に、それぞれボルト止め用孔を形成した外側への突出部である組電池ケース取付部２ｅが形成されている。これらの組電池ケース取付部２ｅの下面は、底板２ａの下面よりも少し下方に突出している。しかも、前後で対となる組電池ケース取付部２ｅ，２ｅのうちの左右両側の２組の間の底板２ａの下面にも、これらの組電池ケース取付部２ｅ，２ｅの下面と面一となるまで突出した底面リブ２ｆが形成されていて、組電池ケース２の特に底部の補強を図っている。これらの組電池ケース取付部２ｅは、ボルト止め用孔に通したボルトを組電池設置部のねじ穴に螺着したり、組電池設置部のボルト止め用孔にも通して下方からナットを螺着することにより、組電池をこの組電池設置部に設置固定するために用いられる。そして、このような組電池ケース２に設けられた組電池ケース取付部２ｅを用いることにより、組電池を確実堅固に設置固定することができるようになる。
【００２４】
上記構成の組電池ケース２には、隔壁２ｃ，２ｃによって仕切られた４箇所の容器部に、図１に示すように、それぞれ２個ずつの非水電解質二次電池１が収納される。これらの非水電解質二次電池１は、長円筒形の外装ケースの平坦な側面が前後方向を向くと共に蓋板１ｂが上方を向くようにして収納される。従って、これらの隔壁２ｃ，２ｃによって仕切られた各容器部には、非水電解質二次電池１が２個ずつ前後に並んで収納されることになる。また、このようにして各容器部に収納された２個の非水電解質二次電池１の間には、樹脂板からなる電池間スペーサ４が配置されて、隙間が空くことによるガタ付きが生じないようにしている。なお、本実施形態では、実際には組電池ケース２の各容器部の底板２ａ上に、絶縁のための絶縁シートと衝撃緩衝材としてのゴムシートとが敷設され、その上に非水電解質二次電池１が載置されるようになっている。
【００２５】
このようにして非水電解質二次電池１が収納された組電池ケース２には、前後方向で対となる２組の電池押圧バー取付部２ｄ，２ｄに、それぞれ電池押圧バー３，３が取り付けられる。各電池押圧バー３は、強度の高いアルミニウム合金からなる前後方向に長い板材であり、両端部に形成された２箇所ずつのボルト止め用孔にボルトを通すと共に、これらのボルトを電池押圧バー取付部２ｄ，２ｄのボルト止め用孔にも通して、下方から図示しない六角ナットを螺合し締め付けることにより固着される。また、これらの電池押圧バー３，３は、下面にゴム板５を介在させて取り付けられる。従って、組電池ケース２に収納された各非水電解質二次電池１は、これらのゴム板５を介して電池押圧バー３により上方から蓋板１ｂを圧迫され、底板２ａ側に押圧されて固定されることになる。そして、これらの電池押圧バー３は、組電池ケース２に設けられた電池押圧バー取付部２ｄに固着されるので、組電池内の電池を確実堅固に固定することができるようになる。
【００２６】
また、このようにして非水電解質二次電池１が収納された組電池ケース２の右側の側板２ｂの外壁には、コネクタ収納部６が取り付けられる。コネクタ収納部６は、金属板を板金加工によって箱状に形成したものであり、この右側の側板２ｂの外壁に穿設されたねじ穴にねじ止めすることにより取り付け固定される。また、このコネクタ収納部６は、取り付け部から突出した板面に形成した孔に図示しないコネクタが取り付けられるようになっている。そして、これらのコネクタと組電池ケース２に収納された非水電解質二次電池１の端子１ｃ，１ｃとの間に配線が施される。これらの非水電解質二次電池１は、端子１ｃ，１ｃ間に図示しない接続バー等を接続固定することにより、例えば直列接続されている。従って、このコネクタ収納部６のコネクタは、組電池ケース２に収納された非水電解質二次電池１から外部に電源を供給すると共に、外部からこれらの非水電解質二次電池１に充電を行うための組電池端子となる。このようにして組電池ケース２の側板２ｂにコネクタ収納部６が取り付けられると、非水電解質二次電池１とコネクタとの間の配線をこのコネクタ収納部６内にまとめることができるので、組電池と外部との接続のための配線が煩雑になるのを防止することができる。
【００２７】
上記構成により、本実施形態の組電池は、前後左右に大きな加速度Ｇを受けても、各非水電解質二次電池１が組電池ケース２を押圧する力が側板２ｂだけでなく隔壁２ｃ，２ｃでも支持されるようになり、これらの非水電解質二次電池１による押圧力を分散させることができるようになる。即ち、例えば前方への大きな加速度Ｇを受けた場合に、もし組電池ケース２に隔壁２ｃ，２ｃが形成されていなかったとすると、各列ごとにそれぞれの非水電解質二次電池１の質量に応じた力が順に後方に加わって、これら４個ずつ計８個分の非水電解質二次電池１による力が全て後方の側板２ｂに加わることになる。しかしながら、本実施形態の組電池ケース２内には、左右方向の隔壁２ｃが形成されているので、このように前方への大きな加速度Ｇを受けた場合でも、各列ごとに前側の２個ずつの非水電解質二次電池１が合わさった力は、この隔壁２ｃで支持され、後方の側板２ｂには、後ろ側の２個ずつの非水電解質二次電池１が合わさった力のみが加わることになり、この加速度Ｇによる押圧力を分散させて支持することができるようになる。そして、これは後方への大きな加速度Ｇが加わった場合も同様である。また、例えば左方向への大きな加速度Ｇを受けた場合にも、もし組電池ケース２に隔壁２ｃ，２ｃが形成されていなかったとすると、左右２列の２個ずつ計８個分の非水電解質二次電池１による力が全て右側の側板２ｂに加わることになる。しかしながら、本実施形態の組電池ケース２内には、前後方向の隔壁２ｃが形成されているので、このように左方向への大きな加速度Ｇを受けた場合でも、左側の１個ずつの非水電解質二次電池１の押圧力は、この隔壁２ｃで支持され、右側の側板２ｂには、右側の１個ずつの非水電解質二次電池１の押圧力のみが加わることになり、この加速度Ｇによる押圧力を分散させて支持することができるようになる。そして、これは右方向への大きな加速度Ｇが加わった場合も同様である。
【００２８】
しかも、本実施形態では、前後方向と左右方向の隔壁２ｃ，２ｃが十字形に交差して繋がっているので、例えば前後方向の隔壁２ｃや左右の側板２ｂ，２ｂに非水電解質二次電池１による押圧力が加わった場合には、これら前後方向の隔壁２ｃや左右の側板２ｂ，２ｂの中央を左右方向の隔壁２ｃがリブとして支えることができ、左右方向の隔壁２ｃや前後の側板２ｂ，２ｂに非水電解質二次電池１による押圧力が加わった場合にも、これら左右方向の隔壁２ｃや前後の側板２ｂ，２ｂの中央を前後方向の隔壁２ｃがリブとして支えることができるので、組電池ケース２全体の強度を高めてこれらの隔壁２ｃや側板２ｂによる非水電解質二次電池１の支持を堅固なものにすることができる。
【００２９】
また、上記各非水電解質二次電池１は、長円筒形の外装ケースの平坦な側面が前後方向を向くように収納されるので、これらの非水電解質二次電池１の発電要素も、長円筒形に巻回された電極の平坦な部分が前後方向に重なり合うことになる。従って、これらの非水電解質二次電池１は、充放電による電極の膨張と収縮や電池内圧の上昇等により、巻回軸に直交する方向にある外装ケースの側面、特に前後の平坦な側面が膨らんだり凹んだりするので、この外装ケースの前後方向の寸法が大きくなることがある。しかしながら、本実施形態の組電池は、組電池ケース２内に左右方向の隔壁２ｃが形成されることにより、各列ごとの前側の２個ずつの非水電解質二次電池１の前後方向の寸法の膨張による圧力は、この左右方向の隔壁２ｃと前側の側板２ｂとによって支持し、後ろ側の２個ずつの非水電解質二次電池１の前後方向の寸法の膨張による圧力は、この左右方向の隔壁２ｃと後ろ側の側板２ｂとによって支持することができるので、例えばこのような各非水電解質二次電池１による圧力が偏って前方や後方への大きな力となって加わった場合にも、各列ごとの４個分の非水電解質二次電池１による押圧力が前後いずれかの側板２ｂに集中して加わるのを防止することができるようになる。
【００３０】
なお、上記実施形態では、軽量化のために組電池ケース２等を強度の高いアルミニウム合金（ジュラルミン等）で作製したが、十分な強度が得られるのであれば、この材質は特に限定されない。また、組電池ケース２に収納する非水電解質二次電池１の個数やその配置列数等は、上記実施形態に限定されるものではない。
【００３１】
また、上記実施形態では、組電池ケース２内に収納した非水電解質二次電池１を上方から押圧して固定するために電池押圧バー３を用いる場合を示したが、この電池押圧部材は、電池押圧バー３には限定されず、例えば蓋板状のものであってもよく、非水電解質二次電池１の蓋板１ｂを押圧する代わりに端子１ｃ，１ｃを押圧するようにしてもよい。さらに、上記実施形態では、この電池押圧部材を取り付けるために電池押圧バー取付部２ｄにボルト止め用孔を形成したが、この取付手段も任意である。さらに、これら電池押圧バー取付部２ｄは、組電池ケース２の側板２ｂの外壁に突設する個数や位置も限定されない。
【００３２】
また、組電池ケース２は、底板２ａとこの底板２ａの周縁部から立設して周囲を囲む側板２ｂとを備えた容器状の筐体であれば、必ずしもほぼ方形である必要はない。さらに、この組電池ケース２は、大量生産品であれば例えばダイカスト等の鋳物によって作製してもよく、筐体に歪みが生じないようにできるのであれば、例えば板材からなる底板２ａと側板２ｂと隔壁２ｃをそれぞれ溶接して作製することもできる。即ち、隔壁２ｃは、底板２ａから一体として立設されていてもよいし、溶接等によって接合されて立設されていてもよい。そして、この隔壁２ｃは、側板２ｂの内面にも、一体として繋がっていてもよいし、溶接等によって接合されて繋がっていてもよい。
【００３３】
また、上記実施形態では、ボルト止め用孔を形成した組電池ケース取付部２ｅで組電池ケース２を組電池設置部に設置固定する場合を示したが、この組電池ケース取付部２ｅが組電池設置部に設置固定するための取付手段は、このようなボルト止め用孔には限定されない。さらに、これらの組電池ケース取付部２ｅは、組電池ケース２の側板２ｂの外壁に突設する個数や位置も限定されない。
【００３４】
また、上記実施形態では、組電池ケース２に前後方向と左右方向の隔壁２ｃ，２ｃを十字形に交差させて形成する場合を示したが、いずれか一方の隔壁２ｃを設けるだけでもよい。そして、例えば図５に示した従来例のように非水電解質二次電池１を１列だけ収納する組電池ケース２の場合であれば、左右方向の隔壁２ｃだけを設けることになる。このように、例えば左右方向の隔壁２ｃだけを設けたとしても、これに直交する前後方向の加速度Ｇを受けた場合だけでなく、左右方向の加速度Ｇを受けた場合にも、この隔壁２ｃが左右の側板２ｂ，２ｂを中央部で支持するリブとして機能することができる。さらに、これら前後方向と左右方向のいずれか一方又は双方の隔壁２ｃは、いずれか一方又は双方を２枚以上形成することもできる。
【００３５】
また、上記実施形態では、組電池ケース２の隔壁２ｃや底板２ａや側板２ｂにアールを設けた場合を示したが、底板２ａの角やこの底板２ａと側板２ｂ又は２面の側板２ｂ，２ｂの境界の角のアールがなくても、ほぼ同様の効果を得ることができる。そして、隔壁２ｃは、図３に示すように、少なくとも側板２ｂよりも低く、両端部の高さがアールＲ１に示すように徐々にアール状に高くなって側板２ｂの内面に繋がっていれば、これらの隔壁２ｃ，２ｃで仕切られた４箇所の容器部に収納された非水電解質二次電池１の端子１ｃ，１ｃ間に接続バー等を容易に接続固定することができるようになる。また、この隔壁２ｃは、図４に示すように、全体が側板２ｂと同じ高さに形成されていても、少なくとも板厚が側板２ｂとの境界部分で、アールＲ２に示すように徐々にアール状に両側に厚くなって繋がっていれば、組電池ケース２の筐体としての強度や隔壁２ｃの強度を高めることができる。さらに、隔壁２ｃ，２ｃが交差している場合には、これらの交差部もアールＲ３に示すように徐々にアール状に厚くなって繋がっていれば、この強度をさらに向上させることができる。
【００３６】
また、上記実施形態では、組電池ケース２の側板２ｂの外壁に、金属板からなるコネクタ収納部６を取り付けた場合を示したが、このコネクタ収納部６の構成は任意であり、例えば鋳物を用いたり金属以外の材質で構成することもできる。
【００３７】
また、上記実施形態では、長円筒形巻回型の発電要素を用いた非水電解質二次電池１について説明したが、この巻回の形状は任意である。さらに、この発電要素は、巻回型に限らず、積層型であってもよい。さらに、上記実施形態では、非水電解質二次電池１を用いた組電池について説明したが、この電池の種類も限定されない。
【図面の簡単な説明】
【００３８】
【図１】本発明の一実施形態を示すものであって、組電池の構成を示す組み立て斜視図である。
【図２】本発明の一実施形態を示すものであって、組電池ケースの構造を示す部分縦断面斜視図である。
【図３】本発明の一実施形態を示すものであって、組電池ケースの他の構成例を示す平面図（ａ）と縦断面正面図（ｂ）である。
【図４】本発明の一実施形態を示すものであって、組電池ケースのさらに他の構成例を示す平面図（ａ）と縦断面正面図（ｂ）である。
【図５】本発明の一実施形態を示すものであって、組電池の構成を示す組み立て斜視図である。
【符号の説明】
【００３９】
１    非水電解質二次電池
２    組電池ケース
２ａ  底板
２ｂ  側板
２ｃ  隔壁
【図１】
2006140025.tif 000003
【図２】
2006140025.tif 000004
【図３】
2006140025.tif 000005
【図４】
2006140025.tif 000006
【図５】
2006140025.tif 000007